(57)【要約】【課題】面一に並置された壁下地材の目地部に貼り付けされることにより壁紙を補強しうる壁紙補強テープに関し、その外側に貼り付けられる壁紙の膨らみの縁をぼやかせかつ目立ち難くする。【解決手段】面一に並置された壁下地材ａ１、ａ１の目地部ｂに、該目地部ｂを跨って貼り付けされるとともに、外側を壁紙ｄで覆われる壁紙補強テープ１であって、前記壁紙補強テープ１は、前記目地部ｂに沿ってのびる両外縁３ｅが非直線状であることを特徴とする壁紙補強テープ。【選択図】図２
2009121056.tif 000002
【特許請求の範囲】
【請求項１】
面一に並置された壁下地材の目地部に、該目地部を跨って貼り付けされるとともに、外側を壁紙で覆われる壁紙補強テープであって、
前記壁紙補強テープは、前記目地部に沿ってのびる両外縁が非直線状であることを特徴とする壁紙補強テープ。
【請求項２】
前記壁紙補強テープは、壁下地材側に貼り付く粘着面を有しかつ樹脂繊維からなるメッシュ状の基材と、
紙材料からなりかつ前記基材と一体に接着されるとともに前記基材の幅方向の両側にはみ出す外縁を有する保護シート部とからなり、
しかも前記保護シート部の前記外縁が前記非直線状をなす請求項１記載の壁紙補強テープ。
【請求項３】
前記保護シート部の外縁は、波状、ジグザグ状又は食い裂き形状である請求項２記載の壁紙補強テープ。
【請求項４】
前記基材の両外縁が非直線状である請求項２又は３記載の壁紙補強テープ。
【請求項５】
前記基材の両外縁は、波状、ジグザグ状又は食い裂き形状である請求項４記載の壁紙補強テープ。
【発明の詳細な説明】
【技術分野】
【０００１】
本発明は、面一に並置された壁下地材の目地部に貼り付けされることにより壁紙を補強しうる壁紙補強テープに関する。
【背景技術】
【０００２】
例えば、乾式工法の家屋の壁の内装仕上げは、壁下地の上に壁紙を貼着して施工される。壁下地は、通常、矩形の石膏ボード等からなる壁下地材を面一に並置して構成されるが、該壁下地材の接続部である目地部は、地震や台風、熱膨張などの外力によって変位する。このため、これらの変位が直接壁紙に伝えられると、目地部に沿って壁紙にシワや破れが発生し、外観が大きく損なわれるという問題がある。
【０００３】
このため、図５に示されるように、家屋の壁構造では、例えば壁下地材ａ１、ａ１からなる壁下地ａの目地部ｂに高弾性の繊維を格子状に溶着させたメッシュテープｃ１及び保護シートｃ２を順次貼り付けた後、壁紙ｄを貼り付けることが行われる。なお、目地部ｂは、予めその隙間にパテ材等が充填されて隙間埋めされている。また、符号ｅは、巾木を示す。
【０００４】
このような壁構造では、並置された壁下地材ａ１、ａ１に相対変位が生じても、高い剛性を有するメッシュテープｃ１が目地部ｂの目開きを防止しうる。また、保護シートｃ２は、壁紙ｄを通してメッシュテープが映らないようにこれを目隠しできうる。先行する文献としては、次のものがある。
【０００５】
【特許文献１】実開昭５７−１６２３５２号公報
【発明の開示】
【発明が解決しようとする課題】
【０００６】
ところで、前記目地部ｂを覆う壁紙ｄは、前記メッシュテープｃ１及び保護シートｃ２の厚さ分だけ外方へと膨らむ。この際、保護シートｃ２の外縁ｃｅが直線状で形成されているため、壁紙ｄの膨らみ部の縁には、段差ｆが生じる。該段差ｆは、目地部ｂの両側に直線状で形成されるため目立ちやすい。特に、このような壁紙ｄの膨らみ部に斜光が当たると、前記段差ｆに影が映り、室内側の壁面の外観を損ねるという傾向があった。
【０００７】
本発明は、以上のような問題点に鑑み案出なされたもので、壁紙補強テープの両外縁を非直線状とすることを基本として、その外側に貼り付けられる壁紙の膨らみの縁に形成される段差をぼやかせ、かつ、目立ち難くすることにより、壁面の外観低下を効果的に防止しうる壁紙補強テープを提供することを主たる目的としている。
【課題を解決するための手段】
【０００８】
本発明のうち請求項１記載の発明は、面一に並置された壁下地材の目地部に、該目地部を跨って貼り付けされるとともに、外側を壁紙で覆われる壁紙補強テープであって、前記壁紙補強テープは、前記目地部に沿ってのびる両外縁が非直線状であることを特徴とする壁紙補強テープである。
【０００９】
また請求項２記載の発明は、前記壁紙補強テープは、壁下地材側に貼り付く粘着面を有しかつ樹脂繊維からなるメッシュ状の基材と、紙材料からなりかつ前記基材と一体に接着されるとともに前記基材の幅方向の両側にはみ出す外縁を有する保護シート部とからなり、しかも前記保護シート部の前記外縁が前記非直線状をなす請求項１記載の壁紙補強テープである。
【００１０】
また請求項３記載の発明は、前記保護シート部の外縁は、波状、ジグザグ状又は食い裂き形状である請求項２記載の壁紙補強テープである。
【００１１】
また請求項４記載の発明は、前記基材の両外縁が非直線状である請求項２又は３記載の壁紙補強テープである。
【００１２】
また請求項５記載の発明は、前記基材の両外縁は、波状、ジグザグ状又は食い裂き形状である請求項４記載の壁紙補強テープである。
【発明の効果】
【００１３】
本発明の壁紙補強テープは、その両外縁が非直線状で構成されるため、その外側に貼り付けられる壁紙の膨らみ部の段差を非直線状としてぼやかせることができる。従って、壁紙に斜光等が当たっても、壁紙補強テープを覆う壁紙の膨らみを目立ち難くすることができ、ひいては壁面の外観低下を効果的に防止しうる。
【発明を実施するための最良の形態】
【００１４】
以下、本発明の実施形態が図面に基づき説明される。
図１には、本実施形態の壁紙補強テープ１の部分斜視図、図２はそれを壁下地材の目地部に貼り付けた一例を示す壁構造の部分斜視図をそれぞれ示す。また、壁構造については、従来と同一の部分については図６で用いたものと同じ符号が付されている。
【００１５】
本実施形態において、壁紙補強テープ１は、壁下地材ａ１側に貼り付く樹脂繊維からなるメッシュ状の基材２と、紙材料からなりかつ前記基材２と一体に接着される保護シート部３とから構成される。なお、図１において、符号Ａは壁紙補強テープ１の長さ方向（即ち、使用時に目地部ｂに沿う方向）、同Ｂは幅方向をそれぞれ示す。
【００１６】
前記メッシュ状の基材２としては、例えば、長さ方向Ａ及び幅方向Ｂにそれぞれ沿ってのびる縦、横の繊維２ａ、２ｂを積層しかつ熱融着することによりメッシュ状に形成される。また、基材２の両側の面には、粘着材が塗布され、その一方の面（図１では見えない）は前記保護シート部３に一体に貼り付けられるとともに、他方の面Ｐ１（図１において上向きの面）は、図３に示されるように離型紙Ｒで覆われる粘着面として構成される。これにより、壁紙補強テープ１はロール状に巻取られて保管等が可能であり、その利便性が向上する。
【００１７】
図２に示されるように、基材２は、壁下地材ａ１、ａ１間の目地部ｂに跨って貼り付けられる。このため、基材２としては、壁下地材ａ１、１間に相対変位が生じた場合でも前記繊維２ａ、２ｂが破断することなく柔軟に伸び、前記変位を吸収しうるものが望ましい。これにより、目地部ｂの目開きが確実に防止される。このような作用をより確実に発揮させるために、基材２の前記各繊維２ａ、２ｂには、好ましくは高い引張強さと適度な柔軟性とを有する例えばポリエチレン樹脂、ポリプロピレン樹脂及びエチレン酢酸ビニル樹脂（ＥＶＡ）を含むオレフィン系樹脂や、ポリスチレン樹脂、ポリアミド樹脂、ポリエステル樹脂などのプラスチック材料などが好適に用いられる。また、メッシュ状の基材２に十分な粘着剤を保持させるために、前記繊維２ａ及び／又は２ｂには、例えば断面が放射状に分割された割繊維が用いられることが望ましい。
【００１８】
前記保護シート部３は、本実施形態で紙材料からなり、かつ、前記基材２と予め一体に接着されるとともに前記基材２の幅方向の両外縁２ｅ、２ｅからはみ出す外縁３ｅを有する。つまり、保護シート部３は、基材２よりも大きい幅を有する。これは、基材２と保護シート部３との各外縁が重なり、壁紙ｄに大きな段差ｆが形成されるのを防止するのに役立つ。
【００１９】
また、保護シート部３は、基材２のメッシュ形状が壁紙ｄに映るのを防止する他、壁紙ｄと一体化し、壁紙ｄの目地部ｂを覆う部分を効果的に補強し、破れや皺の発生を防止しうる。なお、保護シート部３の厚さが大きいと、壁紙ｄを過度に膨らませてしまうため好ましくない。このような観点より、保護シート部３には、小さい厚さでも高い強度を具える和紙が望ましい。このような和紙としては、例えば厚さ２０〜７０μｍ、密度０．３０〜０．７０ｇ／ｍ3及び引張強度（乾燥時）１．０〜２．０ｋＮ／ｍのものが好適である。なお、和紙は、壁紙ｄを壁下地材ａ１に貼り付けるでん粉系接着剤との接着性が良くかつ吸水性が高い点でも好ましいと言える。
【００２０】
また、本実施形態では、壁紙補強テープ１の両外縁をなす保護シート部３の前記外縁３ｅが非直線状で形成されている。非直線状とは、直線以外の全ての形態を含む概念であり、例えば図４（Ａ）及び（Ｂ）に示されるように、波状やジグザグ状などの他、図１に示されるように、外縁をランダムに引きちぎったようないわゆる食い裂き形状が望ましい。さらに、上記各形状を適宜組み合わせたものでも良い。
【００２１】
以上のような壁紙補強テープ１の作用について述べる。図２に示されるように、壁紙補強テープ１は、並置された例えば家屋の壁を構成する壁下地材ａ１、ａ１の目地部ｂに跨りかつ該目地部ｂに沿って貼り付けられる。具体的には、ロール状に巻取られた壁紙補強テープ１から離型紙Ｒを剥がし、基材２の粘着面を壁下地材ａ１側に向けて貼り付けられる。この際、強度の高い基材２が目地部ｂを跨ぐように貼り付けられる。しかる後、例えばでん粉糊等が裏面に予め塗布された壁紙ｄを、壁下地材ａ１及び壁紙補強テープ１の外側に貼り付け、養生させる。
【００２２】
このようにして得られた壁も、壁紙ｄが、壁紙補強テープ１の厚さ分だけ外方に膨れる。しかし、本実施形態では、壁紙補強テープ１の外縁（保護シート部３の外縁３ｅ）が非直線状をなすため、壁紙ｄの膨らみ部の縁に形成される段差ｆを非直線状としてぼやかすことができる。従って、壁紙ｄに斜光等が当たっても、その段差ｆが目立ち難い。従って、壁面の外観低下を効果的に防止しうる。とりわけ、壁紙ｄの表面に小さい立体的な凹凸模様（エンボス模様）が設けられている場合には、該凹凸模様と非直線状をなす壁紙補強テープ１の前記外縁との相乗作用によって、前記効果がより顕著に発揮される。特に、エンボス模様は、表面の凹部と、凸部との差（凹凸のピークトウピーク距離）が１mm以上、より好ましくは２mm以上のものが好適である。
【００２３】
また、上述の効果をより一層高めるために、保護シート部３の外縁３ｅは、最も外側の縁Ｎ１と、最も内側の縁Ｎ２との幅方向の差Ｗが、好ましくは３mm以上、より好ましくは５mm以上、さらに好ましくは１０mm以上が望ましい。他方、前記差Ｗが大きすぎると、貼り付け作業性が悪化するおそれがあるので、好ましくは３０mm以下、より好ましくは２０mm以下が望ましい。なお、図４に示されるように、保護シート部３の外縁３ｅが周期的な凹凸をなす場合には、その凹凸の長さ方向Ａの周期Ｌは、好ましくは２０mm以上、より好ましくは３０mm以上が望ましい。
【００２４】
また、本実施形態の壁紙補強テープ１は、基材２と保護シート部３とが予め一体に形成されているため、１回の作業でこれらを同時に壁下地材ａ１に貼り付けできる。従って、良好な作業性を提供しうる。
【００２５】
なお、壁紙補強テープ１は、図５に示されるように、基材２の両外縁２ｅについても非直線状で形成することもできる。具体的には、横の繊維２ｂの長さを異ならせることにより、実質的に基材２の外縁２ｅを非直線状としうる。この実施形態では、保護シート部３の外縁３ｅだけではなく、基材２の両外縁２ｅにおいても、壁紙の膨らみをぼやかすことができる。従って、壁紙補強テープ１を覆う壁紙ｄの膨らみを多段階でぼかしてより一層目立ち難くすることができる。なお、この基材２の外縁２ｅを非直線状とするときには、保護シート部３の場合と同様に、波状、ジグザグ状及び／又は食い裂き形状など種々の形状が採用できる。
【００２６】
また、図示していないが、壁紙補強テープ１は、基材を省略し、保護シート３だけで構成されても良いのは言うまでもない。
【図面の簡単な説明】
【００２７】
【図１】本発明の一実施の形態を例示する壁紙補強テープの斜視図である。
【図２】その使用例を示す壁構造の部分斜視図である。
【図３】壁紙補強テープの保管例を示す斜視図である。
【図４】（Ａ）、（Ｂ）は本発明の他の実施形態を示す壁紙補強テープの平面図である。
【図５】本発明の他の実施形態を示す壁紙補強テープの平面図である。
【図６】従来の壁構造の斜視図である。
【符号の説明】
【００２８】
１  壁紙補強テープ
２  基材
２ａ、２ｂ  繊維
２ｅ  基材の外縁
３  保護シート部
３ｅ  保護シート部の外縁
【図１】
2009121056.tif 000003
【図２】
2009121056.tif 000004
【図３】
2009121056.tif 000005
【図４】
2009121056.tif 000006
【図５】
2009121056.tif 000007
【図６】
2009121056.tif 000008